(57)【特許請求の範囲】
【請求項１】
中空柱体状に形成されたエンクロージャ内部に複数のスピーカユニットが並べられたスピーカアレイであって、
前記エンクロージャは、
前記スピーカユニットが並べられる方向に沿って前記エンクロージャ内部に平行に設けられた複数のレール状端子と、
前記複数のレール状端子の各々に対応して設けられ、入力されるオーディオ信号を対応する前記レール状端子に導く複数の第１入力端子とを備え、
前記スピーカユニットは、
中空柱体状に形成された筐体と、
前記筐体内部に配置されたスピーカと、
前記複数のレール状端子の各々に対応して設けられた端子であって、平行に並べられた前記レール状端子の間隔と同じ間隔で前記筐体の中心軸方向に沿って前記筐体の外周面上に配設された複数の第２入力端子と、
前記スピーカと前記複数の第２入力端子とに接続され、前記スピーカに入力するオーディオ信号を、前記複数の第２入力端子に入力されたオーディオ信号のいずれかから選択するスイッチとを備え、
前記エンクロージャ内部において、前記筐体の中心軸と前記各レール状端子の延伸方向とのなす角が略直角となるように並べられた前記スピーカユニットを、中心軸を中心に回転させると、前記複数の第２入力端子と前記レール状端子とが互いに接触して固定されること
を特徴とするスピーカアレイ。
【請求項２】
中空柱体状に形成されたエンクロージャ内部に複数のスピーカユニットを並べたスピーカアレイであって、
前記エンクロージャは、
前記スピーカユニットが並べられる方向に沿って設けられ、オーディオ信号が入力される第１レール状端子と、
前記スピーカユニットが並ぶ方向に沿って設けられ、電力が供給される第２レール状端子とを備え、
前記スピーカユニットは、
中空柱体状に形成された筐体と、
前記筐体内部に配置されたスピーカと、
前記第１レール状端子に対応して設けられた端子であって、前記筐体の外周面上に配設された入力端子と、
前記第２レール状端子に対応して設けられた端子であって、前記筐体の外周面上に配設
された電源端子と、
前記入力端子と前記電源端子と前記スピーカとに接続され、前記電源端子から供給される電力で駆動し、当該スピーカユニットに設けられたスライドスイッチのスライダの位置を示す信号または前記エンクロージャ外部から供給される制御信号に応じて、前記入力端子から入力されるオーディオ信号に所定の信号処理を施して前記スピーカへ出力する信号処理部とを備え、
前記エンクロージャ内部において、前記筐体の中心軸と前記各レール状端子の延伸方向とのなす角が略直角となるように並べられた前記スピーカユニットを、中心軸を中心に回転させると、前記入力端子と前記第１レール状端子とが互いに接触して固定され、前記電源端子と前記第２レール状端子とが互いに接触して固定されること
を特徴とするスピーカアレイ。
【請求項３】
前記筐体は円筒状であることを特徴とする請求項１または請求項２に記載のスピーカアレイ。
【請求項４】
前記エンクロージャは、前記スピーカユニットが押入または抜出される開放部を該エンクロージャの前面に有することを特徴とする請求項１または請求項２に記載のスピーカアレイ。
【発明の詳細な説明】
【技術分野】
【０００１】
本発明は、複数のスピーカユニットを備えたスピーカアレイに関する。
【背景技術】
【０００２】
スピーカへの配線を容易にする技術として、例えば、特許文献１に開示された技術がある。特許文献１に開示されたスピーカシステムにおいては、スピーカボックスは、その背面に、オーディオ信号の入力端子を兼ねるプラグを備えている。また、このシステムにおいては、オーディオ信号が導通されるコンタクト部材が、部屋の壁面に備え付けられたガイドレール部材に沿って設けられており、このコンタクト部材においては、スピーカのプラグが挿通され、挿通されたプラグを狭着する溝がガイドレース部材の長手方向に沿って設けられている。ガイドレールの任意の位置でスピーカのプラグをコンタクト部材に挿通させると、コンタクト部材によってプラグが狭着されることにより、スピーカが固定され、また、コンタクト部材とプラグを介してオーディオ信号がスピーカに供給されるので、従来のようにスピーカケーブルを引き回すことなく、スピーカの設置とスピーカへの信号配線とを容易に行うことができる。
また、スピーカユニットを固定する技術としては、例えば、特許文献２に開示された技術がある。特許文献２には、突出部を円周部に具備するスピーカユニットを取り付け板の背面に押し当て、スピーカユニットを中心軸を中心にして回転させ、取り付け板背面に設けられた折曲げ部に突出部を係合させることによりスピーカユニットを固定することが開示されている。
【特許文献１】特開２００４−３２５３１号公報
【特許文献２】実開平５−２８１３３号公報
【発明の開示】
【発明が解決しようとする課題】
【０００３】
さて、近年、スピーカを複数個備えたスピーカアレイと呼ばれるスピーカシステムがコンサートホールや家庭のリビング等の様々な場所において使用されている。スピーカアレイでは、個々のスピーカ毎にゲインやディレイの異なるオーディオ信号を供給することにより、スピーカアレイから出力される音の指向性を制御することができる。
【０００４】
このスピーカアレイにおいては、個々のスピーカはバッフル板に固定され、さらに、オーディオ信号が入力される背面端子とスピーカボックス内で結線されている。このため、いずれかのスピーカが故障し、故障したスピーカを取り替える場合には、ネジと配線を外して故障したスピーカを取り外した後、新しいスピーカの取付けと結線とを行うという面倒な作業を行わなければならない。ここで、特許文献１または特許文献２に開示された技術を利用すれば、スピーカの取付けと取り外しを容易に行うことができるため、スピーカアレイにおいても、スピーカの交換を容易にすることができる。しかしながら、特許文献１は、スピーカの取付けを容易にする技術の開示に止まり、スピーカ毎にゲインやディレイの異なるオーディオ信号を供給する技術についての開示がなく、スピーカへの結線という点では作業の面倒さを改善することができない。
【０００５】
本発明は、上述した背景の下になされたものであり、スピーカアレイにおいてスピーカユニットの着脱とスピーカユニットへの配線とを容易にする技術を提供することを目的とする。
【課題を解決するための手段】
【０００６】
上述した課題を解決するために本発明は、中空柱体状に形成されたエンクロージャ内部に複数のスピーカユニットが並べられたスピーカアレイであって、前記エンクロージャは、前記スピーカユニットが並べられる方向に沿って前記エンクロージャ内部に平行に設けられた複数のレール状端子と、前記複数のレール状端子の各々に対応して設けられ、入力されるオーディオ信号を対応する前記レール状端子に導く複数の第１入力端子とを備え、前記スピーカユニットは、中空柱体状に形成された筐体と、前記筐体内部に配置されたスピーカと、前記複数のレール状端子の各々に対応して設けられた端子であって、平行に並べられた前記レール状端子の間隔と同じ間隔で前記筐体の中心軸方向に沿って前記筐体の外周面上に配設された複数の第２入力端子と、前記スピーカと前記複数の第２入力端子とに接続され、前記スピーカに入力するオーディオ信号を、前記複数の第２入力端子に入力されたオーディオ信号のいずれかから選択するスイッチとを備え、前記エンクロージャ内部において、前記筐体の中心軸と前記各レール状端子の延伸方向とのなす角が略直角となるように並べられた前記スピーカユニットを、中心軸を中心に回転させると、前記複数の第２入力端子と前記レール状端子とが互いに接触して固定されることを特徴とするスピーカアレイを提供する。
【０００７】
また本発明は、中空柱体状に形成されたエンクロージャ内部に複数のスピーカユニットを並べたスピーカアレイであって、前記エンクロージャは、前記スピーカユニットが並べられる方向に沿って設けられ、オーディオ信号が入力される第１レール状端子と、前記スピーカユニットが並ぶ方向に沿って設けられ、電力が供給される第２レール状端子とを備え、前記スピーカユニットは、中空柱体状に形成された筐体と、前記筐体内部に配置されたスピーカと、前記第１レール状端子に対応して設けられた端子であって、前記筐体の外周面上に配設された入力端子と、前記第２レール状端子に対応して設けられた端子であって、前記筐体の外周面上に配設された電源端子と、前記入力端子と前記電源端子と前記スピーカとに接続され、前記電源端子から供給される電力で駆動し、当該スピーカユニットに設けられたスライドスイッチのスライダの位置を示す信号または前記エンクロージャ外部から供給される制御信号に応じて、前記入力端子から入力されるオーディオ信号に所定の信号処理を施して前記スピーカへ出力する信号処理部とを備え、前記エンクロージャ内部において、前記筐体の中心軸と前記各レール状端子の延伸方向とのなす角が略直角となるように並べられた前記スピーカユニットを、中心軸を中心に回転させると、前記入力端子と前記第１レール状端子とが互いに接触して固定され、前記電源端子と前記第２レール状端子とが互いに接触して固定されることを特徴とするスピーカアレイを提供する。
【０００８】
また、好ましい態様においては、前記筐体を円筒状とするようにしてもよい。
また、前記エンクロージャは、前記スピーカユニットが押入または抜出される開放部を該エンクロージャの前面に有するようにしてもよい。
【発明の効果】
【０００９】
本発明によれば、スピーカアレイにおいてスピーカユニットの着脱とスピーカユニットへの配線とを容易にすることができる。
【発明を実施するための最良の形態】
【００１０】
［第１実施形態］
図１は、本実施形態に係るスピーカアレイシステムのブロック図である。このスピーカアレイシステムは、複数のスピーカユニット１０を備えたスピーカアレイ１と、このスピーカアレイ１にオーディオ信号を供給する制御部２とに大別される。制御部２において、入力端子３に入力されたオーディオ信号は信号処理部４に入力される。
スピーカアレイでは、個々のスピーカに供給するオーディオ信号のゲインやディレイを調整することにより、スピーカアレイから出力される音の指向性を変更することができる。信号処理部４は、ＤＳＰ（Digital Signal Processor）を備えており、入力されたオーディオ信号に対して所定の処理を行い、定められた指向性が得られるように、ゲインやディレイを調整したオーディオ信号５−１〜５−５を出力する。このオーディオ信号５−１〜５−５はアンプ６で増幅された後、プラス極性の端子と、マイナス極性の端子を備えた出力端子７−１〜７−５へ出力される。出力端子７−１〜７−５は、スピーカケーブル８−１〜８−５により、スピーカアレイ１に接続される。
【００１１】
次にスピーカアレイ１の構成について説明する。図２は、スピーカアレイ１の外観図である。図２に示したように、本実施形態に係るスピーカアレイ１においては、１０個のスピーカユニット１０−１〜１０−１０が、細長いエンクロージャ２０に直線状に配置されている。本実施形態においては、スピーカユニット１０−１〜１０−１０は、各々同じ構成であるため、以下、各スピーカユニットを区別する必要の無い場合には、枝番を省略しスピーカユニット１０と称する。なお、他の構成要素についても、各要素を区別する必要の無い場合には枝番を付すのを省略して説明を行う。
【００１２】
次にスピーカユニット１０が装着されるエンクロージャ２０について説明する。エンクロージャ２０は、天板２１、底板２２、側板２３Ａ，２３Ｂ、および背面板２４とから構成されている。このうち、エンクロージャ２０の長手方向の一方の端部に取付けられる側板２３Ａには、導電性を有する端子３０Ａ−１〜３０Ａ−５，端子３０Ｂ−１〜３０Ｂ−５が配設されている。この端子３０Ａはスピーカケーブル８を介して出力端子７のプラス極性端子へ接続され、端子３０Ｂはスピーカケーブル８を介して出力端子７のマイナス極性端子へ接続される。
【００１３】
図３はエンクロージャ２０の構成を示す分解図である。図３に示したように、天板２１においては、天板２１の長手方向に沿って五つの溝が設けられており、各溝には導電性を有するレール状端子３１Ａ−１〜３１Ａ−５が埋め込まれている。また、底板２２においても、天板２１と同様に五つの溝が設けられており、各溝には導電性を有するレール状端子３１Ｂ−１〜３１Ｂ−５が埋め込まれている。側板２３Ａが天板２１に取付けられると、レール状端子３１Ａは、同じ枝番の端子３０Ａに電気的に接続される。また、側板２３Ａが底板２２に取付けられると、レール状端子３１Ｂは、同じ枝番の端子３０Ｂに電気的に接続される。レール状端子３１Ａおよび３１Ｂは、図３に示したように、導電性を有する細長い帯状の部材を、この部材の短手方向の二箇所で同じ方向へ直角に折り曲げ、この折り曲げられた開放端を短手方向の中央部分へ向けて折り曲げた形状をしている。このような形状としたことにより、開放端の部分には弾性力が付与され、レール状端子３１Ａおよび３１Ｂは、この開放端の間に挿入された部材を二つの開放端で挟みこむ。
【００１４】
次にスピーカユニット１０の構成について説明する。図４は、スピーカユニット１０の外観図である。円筒形の筐体１０１を有するスピーカユニット１０は、筐体１０１の一方の端部にスピーカ１００を備えている。また、筐体１０１の表面には、導電性を有する端子１１０−１〜１１０−５，端子１２０−１〜１２０−５が設けられている。なお、端子１１０は、筐体１０１の直径方向の中心を挟んで端子１２０と反対の位置に配設されている。また、筐体１０１の表面には、スライドスイッチ１３０が配設されている。このスライドスイッチ１３０においては、スライダの位置を筐体１０１に記された「１」、「２」、「３」、「４」、「５」の位置へ切替えることが可能となっている。
【００１５】
スライドスイッチ１３０は端子１１０，１２０とスピーカ１００に接続されており、スライダの位置を移動させると、スピーカ１００に入力される信号がスライダの位置に応じて切り替わる。例えば、スライダの位置が筐体１０１に記された「１」の位置にある場合、端子１１０−１および１２０−１が電気的にスピーカ１００に接続され、スライダの位置が「２」の位置にある場合、端子１１０−２および１２０−２が電気的にスピーカ１００に接続される。このように、スライダの位置を筐体１０１に記された番号の位置に移動させると、この番号と同じ枝番の端子がスピーカ１００に電気的に接続される。電気的に接続された端子を介してオーディオ信号が入力されると、スピーカ１００は入力されたオーディオ信号に応じて楽音を出力する。
【００１６】
次に、スピーカユニット１０をエンクロージャ２０に取付ける方法について説明する。まず、スライドスイッチ１３０のスライダを移動させ、スピーカ１００に電気的に接続する端子を選択する。次に、図５（ａ）に示したように、スライドスイッチ１３０を上方に向け、エンクロージャ２０に対し、端子１１０が側板２３Ａ側、端子１２０が側板２３Ｂ側となるようにスピーカユニット１０を傾ける。
【００１７】
次に図５（ａ）に示した状態のままスピーカユニット１０をエンクロージャ２０の前面から天板２１と底板２２との間に挿入した後、スピーカユニット１０を反時計方向（図中矢印Ａ方向）に回転させる。この際、端子１１０−１〜１１０−５が、同じ枝番のレール状端子３１Ａの凹部に挟まれ、端子１２０−１〜１２０−５が、同じ枝番のレール状端子３１Ｂの凹部に挟まれるように、スピーカユニット１０の前後の位置を調整して回転させる。スピーカユニット１０を回転させると、端子１１０がレール状端子３１Ａの凹部に嵌挿され、端子１２０がレール状端子３１Ｂの凹部に嵌挿される。この後、スピーカユニット１０をエンクロージャ２０の長手方向に沿って移動させ、スピーカユニット１０の位置を調整する。
【００１８】
なお、エンクロージャ２０からスピーカユニット１０を取り外す場合には、スピーカユニット１０を反時計周りに回転させ、端子１１０をレール状端子３１Ａから外し、端子１２０をレール状端子３１Ｂから外した後、スピーカユニット１０をエンクロージャ２０からエンクロージャ２０の前方へ引き抜くことにより、スピーカユニット１０をエンクロージャ２０から容易に取り外すことができる。
【００１９】
スピーカユニット１０がエンクロージャ２０に装着された後、端子３０Ａおよび端子３０Ｂを介してオーディオ信号が供給されると、各レール状端子を介してオーディオ信号がスピーカユニット１０へ供給される。スピーカユニット１０においては、スライドスイッチ１３０のスライダ位置にある数字と同じ枝番の端子がスピーカ１００に電気的に接続され、この電気的に接続された端子を介して入力されたオーディオ信号がスピーカ１００に入力される。
なお、本実施形態においては、スピーカ１００の指向軸がスピーカアレイ１の正面方向となるので指向軸に対して左右対称の位置にあるスピーカユニットには同じオーディオ信号を供給すればよい。例えば、スピーカユニット１０−１と１０−１０とにはレール状端子３１Ａ−１とレール状端子３１Ｂ−１とが電気的に接続されるようにし、スピーカユニット１０−２と１０−９とには、レール状端子３１Ａ−２とレール状端子３１Ｂ−２とが電気的に接続されるようにし、スピーカユニット１０−３と１０−８とには、レール状端子３１Ａ−３とレール状端子３１Ｂ−３とが電気的に接続されるようにし、スピーカユニット１０−４と１０−７とには、レール状端子３１Ａ−４とレール状端子３１Ｂ−４とが電気的に接続されるようにし、スピーカユニット１０−５と１０−６とには、レール状端子３１Ａ−５とレール状端子３１Ｂ−５とが電気的に接続されるようにすればよい。
なお、上述した実施形態においては、左右対称の位置にあるスピーカユニット１０に同じ信号を供給するためにレール状端子は５組となっているが、スピーカユニット１０毎に異なるオーディオ信号を供給する場合には、レール状端子３１Ａとレール状端子３１Ｂとの組を１０組にすればよい。
【００２０】
このように、本実施形態によれば、エンクロージャ２０の前面からスピーカユニット１０を挿入して取付けることができるので、スピーカアレイの組立を容易に行うことができる。また、通常スピーカアレイは使用時には部屋の壁面近くに設置される。このため、スピーカアレイの背面からスピーカユニットをエンクロージャに挿入して取付ける構成であると、故障したスピーカユニットを取り替える際には壁面が邪魔となり、スピーカアレイを動かす等の面倒な作業が必要となる。しかしながら本実施形態によれば、障害物のないエンクロージャ２０の前面からスピーカユニット１０の取付けおよび取り外しができ、さらに、スピーカユニット１０の取付けまたは取り外し時には、スピーカに対する結線作業を必要としないため、スピーカユニット１０が故障した際にも、スピーカユニット１０の交換を容易に行うことができる。また、本実施形態においては、オーディオ信号をスピーカユニット１０に供給する端子がレール状となっているため、スピーカユニット１０の位置をエンクロージャ２０の長手方向の任意の位置に位置させることができる。また、スピーカユニット１０に設けられたスイッチにより、複数の端子に入力されるオーディオ信号の中から任意のオーディオ信号を選択して出力することができる。
【００２１】
［第２実施形態］
次に本発明の第２実施形態について説明する。図６は、本実施形態に係るスピーカアレイシステムの構成を示したブロック図である。図６に示したように、スピーカアレイ１Ａは、複数のスピーカユニット１０Ａ−１〜１０Ａ−１０を備えている。なお、第１実施形態のスピーカユニット１０が、アンプで増幅されたオーディオ信号を音に変換して出力するパッシブ型であるのに対し、本実施形態に係るスピーカユニットはアクティブ型となっている。そして本実施形態の各スピーカユニットは、スピーカユニット毎に信号処理部とアンプとを備えている。
【００２２】
スピーカアレイ１Ａは、オーディオ信号が入力されるＲＣＡ端子９Ａを備えている。このＲＣＡ端子９Ａには、個々のスピーカユニットにオーディオ信号を供給する信号ライン９Ｂが接続されている。また、スピーカアレイ１Ａは、プラグを有する電源コード９Ｃを備えている。この電源コード９Ｃは、アクティブ型のスピーカユニットに電力を供給する電源部９Ｄに接続されており、電源部９Ｄには、個々のスピーカユニットに電力を供給する電源ライン９Ｅが接続されている。スピーカユニットは、電源部９Ｄから電力の供給を受け、信号ラインを介して入力されたオーディオ信号を増幅し、オーディオ信号に応じて楽音を出力する。
【００２３】
図７は、本発明の実施形態に係るスピーカアレイの外観図である。図７に示したように、本実施形態に係るスピーカアレイにおいては、１０個のスピーカユニット１０Ａ−１〜１０Ａ−１０が、細長いエンクロージャ２０に略一定の間隔をあけて直線状に配置されている。本実施形態においては、スピーカユニット１０Ａ−１〜１０Ａ−１０は、各々同じ構成であるため、以下、各スピーカユニットを区別する必要の無い場合には、枝番を省略しスピーカユニット１０Ａと称する。なお、他の構成要素についても、各要素が複数ある場合には枝番を付し、各要素を区別する必要の無い場合には枝番を付すのを省略する。
【００２４】
次にスピーカユニット１０Ａが装着されるエンクロージャ２０Ａについて説明する。図８は、エンクロージャ２０Ａの外観図である。図８に示したように、エンクロージャ２０Ａは、天板２１、底板２２、側板２３Ａ，２３Ｂ、背面板２４、およびバッフル板２５とから構成されている。このうち、バッフル板２５には、スピーカユニット１０Ａが挿入される孔であって、切欠き部２６Ａと切欠き部２６Ｂとを備えた貫通孔２６−１〜２６−１０が設けられている。
【００２５】
図９（ａ）は、貫通孔２６の断面を側板２３Ｂから側板２３Ａに向かって見た図であり、図１０は貫通孔２６をバッフル板２５の裏面方向から見た図である。貫通孔２６の近傍でバッフル板２５の内側には、導電性を有する端子２７Ａ，２７Ｂと、同じく導電性を有する端子２８Ａ，２８Ｂが配設されている。端子２７Ａ，２７Ｂ、および端子２８Ａ，２８Ｂは、図９に示したように、その断面形状が第１実施形態のレール状端子３１Ａと同じ形状となっており、開放端の部分には弾力性が付与されているため、この開放端の間に挿入された部材を二つの開放端で挟みこむ。端子２７Ａと端子２７Ｂは、電源ライン９Ｅを介して電源部９Ｄに接続されており、端子２７Ｂは電源電圧の基準となるグランドに接続され、端子２７Ａには、スピーカユニットを駆動する電圧が印加される。また、端子２８Ａと端子２８Ｂは、信号ライン９Ｂを介してＲＣＡ端子９Ａに接続されており、端子２８Ａは、ＲＣＡ端子においてオーディオ信号が入力される内側のピンに接続され、端子２８Ｂは、ＲＣＡ端子においてオーディオ信号の基準となるＧＮＤ（グランド）端子に接続されている。
【００２６】
次にスピーカユニット１０Ａの構成について説明する。図１１は、スピーカユニット１０Ａの外観図である。円筒形の筐体１０１を有するスピーカユニット１０Ａは、筐体１０１の一方の端部にスピーカ１００を備えている。また、筐体１０１の表面には、導電性を有する端子１１０Ａ−１，１１０Ａ−２、端子１２０Ａ−１，１２０Ａ−２が設けられている。なお、端子１１０Ａは、筐体１０１の直径方向の中心を挟んで端子１２０と反対の方向に配設されている。また、筐体１０１の表面には、スライドスイッチ１３０が配設されている。このスライドスイッチ１３０は、スライダの位置を筐体１０１に記された「１」、「２」、「３」、「４」、「５」の位置へ切替えることが可能となっており、スライダの位置を示す信号を出力する。また、筐体１０１の長手方向において、スピーカ１００が取付けられている方の端部には、外径が筐体１０１の外形より大きく、筐体１０１の長手方向に所定の厚さを有する鍔状の鍔部材１４０が設けられている。
【００２７】
また、スピーカユニット１０Ａは、スライドスイッチ１３０、端子１１０Ａおよび端子１２０に接続されている信号処理部（図示略）、信号処理部とスピーカ１００に接続されているアンプ（図示略）を備えている。この信号処理部は、端子１１０Ａ−１と端子１２０Ａ−１から供給される電力により動作する。そして、端子１１０Ａ−２および端子１２０Ａ−２を介して入力されたオーディオ信号に対して所定の処理を行い、定められた指向性が得られるように、ゲインやディレイを調整したオーディオ信号をアンプに出力する。そして、スライダの位置が移動されると、スライドスイッチ１３０から出力される信号に基づいてスライダの位置を検知し、検知したスライダの位置に応じて、出力するオーディオ信号のゲインやディレイを切替える。信号処理部によりゲインやディレイが調整されたオーディオ信号がアンプに入力されると、スピーカ１００はアンプで増幅されたオーディオ信号に応じて楽音を出力する。
【００２８】
次に、スピーカユニット１０Ａをエンクロージャ２０Ａに取付ける方法について説明する。まず、スライドスイッチ１３０のスライダを移動させ、オーディオ信号に付与するゲインやディレイを設定する。次に、図１２に示したように、端子１１０Ａが切欠き部２６Ａに嵌るようにスピーカユニット１０Ａを傾ける。そして、スピーカユニット１０Ａを傾けたまま、図中矢印Ｂ方向（貫通孔の方向）へスピーカユニット１０Ａを移動させ、スピーカユニット１０Ａを貫通孔２６へ挿入する。
【００２９】
スピーカユニット１０Ａを挿入し、筐体１０１に設けられている鍔部材１４０がバッフル板２５に当接した後、スピーカユニット１０Ａを反時計方向（図中矢印Ａ方向）へ回転させる。スピーカユニット１０Ａを回転させると、図９（ｂ）に示したように、端子１１０Ａ−１が端子２７Ａに挟まれ、端子１２０Ａ−１が端子２７Ｂに挟まれる。また、端子１１０Ａ−２が端子２８Ａに挟まれ、端子１２０Ａ−２が端子２８Ｂに挟まれる。
【００３０】
スピーカユニット１０Ａの端子がバッフル板２５に設けられた端子に挟まれ、スピーカユニット１０Ａに電力とオーディオ信号が供給されると、スピーカユニット１０Ａの信号処理部は、スライドスイッチ１３０のスライダの位置に応じて、出力するオーディオ信号のゲインやディレイを設定し、ゲインやディレイが調整されたオーディオ信号をスピーカ１００に出力し、オーディオ信号に応じて楽音を出力する。
【００３１】
以上説明したように本実施形態によれば、エンクロージャ２０の前面からスピーカユニット１０を挿入して取付けることができるので、スピーカアレイの組立を容易に行うことができる。また、エンクロージャ２０の前面からスピーカユニット１０の取付けおよび取り外しができ、さらに、スピーカユニット１０の取付けまたは取り外し時には、スピーカに対する結線作業を必要としないため、スピーカユニット１０が故障した際にも、スピーカユニット１０の交換を容易に行うことができる。
【００３２】
［変形例］
以上、本発明の実施形態について説明したが、例えば、上述した実施形態を以下のように変形して本発明を実施してもよい。
【００３３】
上述した実施形態においては、スピーカユニットの数は１０個となっているが、スピーカユニットの数は、この数に限定されるものではなく、任意の数にすることができる。また、スピーカアレイに供給するオーディオ信号も五つ以上のオーディオ信号を供給するようにしてもよい。また、本実施形態においては、サイズや形状が同じスピーカユニットを配置しているが、配置される位置に応じてスピーカユニットのサイズや形状を異ならせるようにしてもよい。
【００３４】
また、第１実施形態においても、第２実施形態と同様にスピーカユニットに鍔部材を設け、エンクロージャ２０にバッフル板を設けるようにしてもよい。また、スピーカアレイにおいては、図１３に示したように、スピーカユニットを縦および横に複数個並べるようにしてもよい。また、端子３０Ａおよび端子３０Ｂは、天板２１、底板２２、側板２３Ａ、背面板２４のいずれかに配置するようにしてもよい。また、第１実施形態においては、レール部材３１Ａ，３１Ｂは天板２１や底板２２に埋め込むのではなく、天板２１や底板２２の表面に配設するようにしてもよく、また、第２実施形態の端子２８Ａ，２８Ｂのように配設するようにしてもよい。また、上述した実施形態においては、スピーカユニットの筐体１０１は円筒状となっているが、円筒状に限定されることなく中空柱体状であれば他の形状であってもよい。また、上述した実施形態においては、端子１２０は、筐体１０１の直径方向の中心を挟んで端子１１０と反対の位置に配設されているが、端子１２０を端子１１０の列と同じ列上に配置するようにしてもよい。また、端子２７Ａ，２７Ｂおよび端子２８Ａ，２８Ｂは、図１４に示したように、レール状ではなく、短冊状の部材を折り曲げて形成してもよい。
【００３５】
スピーカユニットが具備する信号処理部の設定を外部から制御可能な態様においては、制御信号を信号処理部へ供給するレール部材（または端子）をエンクロージャに設け、このレール部材（または端子）を介して外部からゲインやディレイを設定する制御信号をスピーカユニットの信号処理部へ供給し、スピーカユニット毎にゲインやディレイを設定するようにしてもよい。
【００３６】
上述した実施形態においては、スピーカユニットはエンクロージャの前面からエンクロージャに挿入されているが、スピーカユニットはエンクロージャの背面から挿入するようにしてもよい。
【図面の簡単な説明】
【００３７】
【図１】本発明の第１実施形態に係るスピーカアレイシステムのブロック図である。
【図２】同実施形態に係るスピーカアレイの外観図である。
【図３】同実施形態に係るエンクロージャの部分分解図である。
【図４】同実施形態に係るスピーカユニットの外観図である。
【図５】スピーカユニット１０の取付け方法を説明するための図である。
【図６】本発明の第２実施形態に係るスピーカアレイシステムのブロック図である。
【図７】同実施形態に係るスピーカアレイの外観図である。
【図８】同実施形態に係るエンクロージャの外観図である。
【図９】貫通孔２６と貫通孔２６近傍の断面図である。
【図１０】貫通孔２６をバッフル板２５の裏面から見た図である。
【図１１】第２実施形態に係るスピーカユニットの外観図である。
【図１２】スピーカユニット１０Ａの取付け方法を説明するための図である。
【図１３】本実施形態の変形例に係るスピーカアレイの外観図である。
【図１４】本実施形態の変形例に係る端子２７Ａ，２７Ｂ，２８Ａ，２８Ｂの外観図である。
【符号の説明】
【００３８】
１，１Ａ・・・スピーカアレイ、１０，１０Ａ・・・スピーカユニット、２０・・・エンクロージャ、２７Ａ，２７Ｂ，２８Ａ，２８Ｂ・・・端子、３０Ａ，３０Ｂ・・・端子、３１Ａ，３１Ｂ・・・レール状端子、１００・・・スピーカ、１０１・・・筐体、１１０，１１０Ａ，１２０，１２０Ａ・・・端子、１３０・・・スライドスイッチ。
【図１】
0004770315.tif 000002
【図２】
0004770315.tif 000003
【図３】
0004770315.tif 000004
【図４】
0004770315.tif 000005
【図５】
0004770315.tif 000006
【図６】
0004770315.tif 000007
【図７】
0004770315.tif 000008
【図８】
0004770315.tif 000009
【図９】
0004770315.tif 000010
【図１０】
0004770315.tif 000011
【図１１】
0004770315.tif 000012
【図１２】
0004770315.tif 000013
【図１３】
0004770315.tif 000014
【図１４】
0004770315.tif 000015